(57)【要約】  波動歯車装置の波動発生器（４）は、楕円状の外周面（４１）を備えた剛性のプラグ（４２）とローラーベアリング（４３）を有している。プラグ（４２）の外周面（４１）は、長軸位置Ｌ１に形成した長軸側外周面部分（４１ａ）と、短軸位置（Ｌ２）に形成した短軸側外周面部分（４１ｂ）とを備えている。長軸側外周面部分（４１ａ）は、中心軸線（４２ａ）に沿ってテーパの付いたテーパ面であり、短軸側外周面部分（４１ｂ）は、逆の方向にテーパの付いた逆テーパ面である。ローラーベアリングを用いた波動発生器を用いて、片当りなく、外歯歯車を支持して、楕円状に撓めることができる。
2016079876.tif 000002
【特許請求の範囲】
【請求項１】
カップ状あるいはシルクハット状の可撓性の外歯歯車を楕円状に撓めて剛性の内歯歯車に部分的にかみ合わせる、波動歯車装置の波動発生器であって、
楕円状の外周面を備えた剛性のプラグと、
前記プラグの前記外周面に装着されたローラーベアリングと、
を有しており、
前記プラグの前記外周面は、
前記外周面の長軸位置では、前記プラグの中心軸線に沿った第１方向にテーパの付いたテーパ面であり、
前記外周面の短軸位置では、前記中心軸線に沿った前記第１方向とは逆の方向である第２方向にテーパについた逆テーパ面である
ことを特徴とする波動歯車装置の波動発生器。
【請求項２】
前記プラグの前記外周面は、前記中心軸線の方向の各軸直角断面上における楕円状輪郭線の周長が同一である請求項１に記載の波動歯車装置の波動発生器。
【請求項３】
前記プラグの前記外周面には、その周方向の各位置において異なるテーパ角が付いており、
前記テーパ角は、前記外歯歯車の外歯形成部分における歯幅方向の所定の位置を予め定めた設定楕円形状に撓めた場合に、前記外歯形成部分における円周方向の各位置におけるコーニング角に対応する角度である請求項１に記載の波動歯車装置の波動発生器。
【請求項４】
前記プラグに、前記ローラーベアリングの内輪が一体形成されており、
前記外周面は内輪軌道面である請求項１に記載の波動歯車装置の波動発生器。
【請求項５】
剛性の内歯歯車と、
カップ形状あるいはシルクハット形状をした可撓性の外歯歯車と、
前記外歯歯車を楕円状に撓めて前記内歯歯車にかみ合わせ、これら両歯車のかみ合い位置を周方向に移動させる波動発生器と、
を有しており、
前記波動発生器は、請求項１ないし４のうちのいずれか一つの項に記載の波動発生器であることを特徴とする波動歯車装置。
【請求項６】
前記外歯歯車の外歯形成部分に、前記波動発生器の前記ローラーベアリングの外輪が一体形成されている請求項５に記載の波動歯車装置。
【発明の詳細な説明】
【技術分野】
【０００１】
本発明は、波動歯車装置の波動発生器に関し、特に、カップ形状あるいはシルクハット形状の可撓性の外歯歯車を備えた波動歯車装置に用いる波動発生器に関する。
【背景技術】
【０００２】
波動歯車装置の波動発生器は、剛性のプラグと、このプラグの楕円状外周面に装着したウエーブベアリングとを備えている。特許文献１には、ウエーブベアリングとして、ニードルローラーベアリングを用いた波動発生器が提案されている。
【先行技術文献】
【特許文献】
【０００３】
【特許文献１】特開２０１１−１９０８２６号公報
【発明の概要】
【発明が解決しようとする課題】
【０００４】
従来のローラーベアリングを用いた波動発生器は、円筒状の外歯歯車を備えたフラット型と呼ばれる波動歯車装置に採用されている。この構成の波動発生器を、カップ形状あるいはシルクハット形状の外歯歯車を備えたカップ型あるいはシルクハット型と呼ばれる波動歯車装置に採用すると、次のような弊害が生じる。【０００５】
カップ形状あるいはシルクハット形状の外歯歯車は、その外歯形成部分が波動発生器によって楕円状に撓められると、三次元の撓み状態が生じる。図３（ａ）はカップ形状の外歯歯車を楕円状に撓ませた状況を示したものであり、実線は、変形前の状態、一点鎖線は楕円の長軸を含む断面上の変形状態、二点鎖線は短軸を含む断面上の変形状態である。【０００６】
この図に示すように、外歯歯車１００は、開口端１０１の側の円筒形状の外歯形成部分１０２が波動発生器によって楕円状に撓められる。これにより、外歯歯車１００の開口端１０１の側からダイヤフラム１０３の側に掛けて、開口端１０１からの距離に略比例して撓み量が変化する。円筒形状の外歯形成部分１０２は、楕円形状の長軸側では、一点鎖線で示すように、半径方向の外方に撓み、楕円形状の短軸側では、二点鎖線で示すように、半径方向の内方に撓む。【０００７】
外歯形成部分１０２は、その円周方向の各位置において、波動発生器の回転に伴って、一点鎖線で示す位置から二点鎖線で示す位置までの間を繰り返し半径方向に撓む。波動発生器の回転に伴って生ずる外歯歯車の三次元の撓み状態を「コーニング」と呼び、この撓み状態の形状を「コーニング形状」と呼び、コーニングが生じている部分の中心軸線に対する撓み角度を「コーニング角」と呼ぶ。【０００８】
一般的に使用されているウエーブベアリングとしてボールベアリングを用いた波動発生器の場合には、図３（ｅ）に示すように、外歯歯車１００の外歯形成部分１０２を支持する波動発生器１０４の外周部分（ウエーブベアリングの外輪）１０５は、コーニングに追従して傾斜可能である。これに対して、図３（ｂ）〜図３（ｄ）に示すように、ローラーベアリング１０６を用いる場合には、波動発生器１０７の外周部分１０８は、各ローラー１０９によって中心軸線の方向に平行に支持される。このため、図３（ｃ）に示す、長軸位置と短軸位置の間の中間位置を除き、図３（ｂ）の長軸位置の場合、図３（ｄ）の短軸位置の場合のように、カップ形状あるいはシルクハット形状の外歯歯車における外歯形成部分のコーニング形状に追従できない。【０００９】
このため、ローラーベアリング１０６を用いた波動発生器１０７の外周面は、外歯歯車１００の楕円形状の長軸上では図３（ｂ）に矢印で示すようにダイヤフラム側に、短軸上では図３（ｄ）に矢印で示すように開口側に強く接触するので、接触部位に片寄りが生じる。この結果、波動歯車装置の重要特性である角度伝達誤差、位置決め精度が悪化する。また、波動歯車装置の短寿命、摩耗も懸念される。【００１０】
本発明の課題は、このような点に鑑みて、カップ形状あるいはシルクハット形状の外歯歯車の三次元の撓み状態に追従できる、ローラーベアリングを用いた波動発生器、および当該波動発生器を用いた波動歯車装置を提供することにある。
【課題を解決するための手段】
【００１１】
上記の課題を解決するために、本発明は、カップ状あるいはシルクハット状の可撓性の外歯歯車を楕円状に撓めて剛性の内歯歯車に部分的にかみ合わせる、波動歯車装置の波動発生器において、楕円状の外周面を備えた剛性のプラグ、および、前記プラグの前記外周面に装着されたローラーベアリングを有している。前記プラグの前記外周面は、その長軸位置に形成した長軸側外周面部分と、その短軸位置に形成した短軸側外周面部分とを備えている。前記長軸側外周面部分は、前記プラグの中心軸線に沿った第１方向にテーパの付いたテーパ面であり、前記短軸側外周面部分は、前記中心軸線に沿った前記第１方向とは逆の方向である第２方向にテーパの付いた逆テーパ面である。【００１２】
ここで、前記プラグの前記外周面は、前記中心軸線の方向の各軸直角断面上における楕円状輪郭線の周長が同一であることが望ましい。【００１３】
本発明の波動発生器では、楕円状に撓められる外歯歯車のコーニング形状に対応させて、プラグの外周面の長軸側外周面部分および短軸側外周面部分に、それぞれ逆方向にテーパを付けてある。したがって、プラグの外周面に装着されるローラーベアリングのローラーも同一方向に傾斜した状態に支持される。よって、ローラーベアリングを、片当りの無い状態、あるいは、片当りが抑制された状態で、外歯歯車の内周面に接触させることができる。【００１４】
この結果、外歯歯車と波動発生器の接触部分の摩耗を低減でき、これらの寿命の低下を抑制できる。また、ローラーのスキューを低減でき、転動疲労寿命を向上できる。さらには、波動発生器によって外歯歯車が確実に支持されるので、これらの間の片当り状態に起因する波動歯車装置の角度伝達誤差および位置決め精度の悪化を防止できる。【００１５】
本発明の波動発生器において、前記プラグの前記外周面には、その周方向の各位置において異なるテーパ角が付いており、前記テーパ角は、前記外歯歯車の外歯形成部分における歯幅方向の所定の位置を予め定めた設定楕円形状に撓めた場合に、前記外歯形成部分における円周方向の各位置におけるコーニング角に対応する角度であることが望ましい。これにより、ローラーベアリングを、円周方向の各位置において、外歯歯車の内周面に片寄りなく接触させることができる。【００１６】
本発明の波動発生器において、前記プラグに、前記ローラーベアリングの内輪を一体形成してもよい。この場合には、前記外周面が内輪軌道面として機能する。【００１７】
次に、本発明の波動歯車装置は、剛性の内歯歯車と、カップ形状あるいはシルクハット形状をした可撓性の外歯歯車と、前記外歯歯車を楕円状に撓めて前記内歯歯車にかみ合わせ、これら両歯車のかみ合い位置を周方向に移動させる波動発生器とを有しており、前記波動発生器は上記構成の波動発生器であることを特徴としている。【００１８】
ここで、前記外歯歯車の外歯形成部分に、前記波動発生器の前記ローラーベアリングの外輪を一体形成することができる。
【図面の簡単な説明】
【００１９】
【図１】（ａ）は本発明を適用したカップ型の波動歯車装置の正面図であり、（ｂ）はその概略断面図である。
【図２】（ａ）は波動発生器の概略正面図、（ｂ）は波動発生器の長軸位置での概略断面図、（ｃ）は波動発生器の短軸位置での概略断面図である。
【図３】（ａ）は波動歯車装置の撓み状態を示す説明図、（ｂ）〜（ｅ）はそれぞれ波動発生器と外歯歯車の接触状態を示す説明図である。
【発明を実施するための形態】
【００２０】
以下に、図面を参照して、本発明を適用した波動歯車装置の実施の形態を説明する。
【００２１】
（全体構成）
図１（ａ）はカップ型の波動歯車装置の概略正面図であり、図１（ｂ）はその概略縦断面図である。カップ型の波動歯車装置１は、環状の剛性の内歯歯車２と、この内側に同心状に配置されたカップ形状の可撓性の外歯歯車３と、この内側にはめ込まれた楕円形輪郭の波動発生器４とを備えている。
【００２２】
外歯歯車３は、円筒状の胴部３１と、その一端に連続している環状のダイヤフラム３２と、このダイヤフラム３２の中心部分に一体形成されている円盤状のボス３３と、胴部３１の開口部３４の外周面に形成された外歯３５を備えている。外歯歯車３の外歯形成部分３６は、波動発生器４によって楕円状に撓められ、その長軸方向の両端部分に位置する外歯３５が内歯歯車２の内歯２５にかみ合っている。
【００２３】
モーター等によって波動発生器４を回転すると、両歯車２、３のかみ合い位置が円周方向に移動する。両歯車２、３の歯数差は２ｎ枚（ｎは正の整数）とされ、波動発生器４が１回転する間に、両歯車２、３の間には歯数差分に対応する角度の相対回転が生じる。
【００２４】
波動発生器４は、楕円状の外周面４１を備えた剛性のプラグ４２と、プラグ４２の外周面４１に装着されたローラーベアリング４３とを備えている。ローラーベアリング４３は、波動発生器４の外周面４１に嵌めた内輪４４、外歯歯車３の外歯形成部分３６の内周面３６ａを支持している外輪４５、および、これら内輪４４、外輪４５の間に転動可能な状態で装着されている多数本のローラー４６を備えている。ローラー４６は、円筒状のリテーナー４７によって円周方向において等角度間隔の位置に保持されている。
【００２５】
（プラグ外周面の形状）
図２（ａ）は波動発生器４の概略正面図であり、図２（ｂ）はその長軸位置で切断した場合の概略縦断面図であり、図２（ｃ）はその短軸位置で切断した場合の概略縦断面図である。なお、図２（ｂ）、（ｃ）においては、プラグ４２の外周面４１の形状を誇張して示してある。
【００２６】
これらの図を参照して説明すると、プラグ４２の外周面４１は、その中心軸線４２ａの方向の各軸直角断面上における楕円状輪郭線の周長が同一となるように設定されている。また、外周面４１は、その長軸位置Ｌ１を含む長軸側外周面部分４１ａと、その短軸位置Ｌ２を含む短軸側外周面部分４１ｂと、これらの間に形成されている外周面部分４１ｃとを備えている。
【００２７】
長軸側外周面部分４１ａは、プラグ４２の中心軸線４２ａに沿った第１方向にテーパの付いた第１テーパ角θ１のテーパ面である。すなわち、外歯歯車３の開口部３４の側からダイヤフラム３２（図１（ｂ）参照）の側に向かって外径が漸減している。短軸側外周面部分４１ｂは、中心軸線４２ａに沿って、第１方向とは逆の方向である第２方向にテーパのついた第２テーパ角θ２の逆テーパ面である。すなわち、ダイヤフラム３２の側から開口部３４の側に向かって外径が漸減している。通常は、θ１とθ２の絶対値は同一である。長軸側外周面部分４１ａから短軸側外周面部分４１ｂまでの間の外周面部分４１ｃは、そのテーパ角が、第１テーパ角θ１から第２テーパ角θ２に向けて滑らかに切り替わっている。
【００２８】
この形状のプラグ４２の外周面４１は例えば次の手順により設計することができる。まず、波動歯車装置１の設定楕円量より、ローラーベアリング４３の軸線方向の中心位置での長軸寸法、短軸寸法、円周長を確認する。次に、波動歯車装置１の設定楕円量による外歯歯車３の外歯形成部分３６の内周面のコーニング角を確認する。次に、コーニング角に基づき、プラグ４２の外周面４１における中心軸線４２ａの方向の各軸直角断面上における長軸寸法を決定する。そして、各軸直角断面上において楕円形状の周長を変えずに、短軸寸法を決定する。
【００２９】
この結果、その周方向の各位置において異なるテーパ角のテーパ面が形成されたプラグ４２の外周面４１が得られる。各位置のテーパ角は、外歯歯車３の外歯形成部分３６を楕円形状に撓めた場合に、外歯形成部分３６における円周方向の各位置におけるコーニング角に対応する角度になる。
【００３０】
このようにプラグ４２の外周面４１は、外歯歯車３の外歯形成部分３６の内周面のコーニング形状に対応した三次元のテーパ面である。したがって、波動発生器４のローラーベアリングの外輪４５の外周面は、片当りなく、外歯形成部分３６の内周面に接触した状態で、外歯形成部分３６を支持できる。
【００３１】
上記の例において、ローラーベアリングの内輪４４を波動発生器４のプラグ４２に一体形成することもできる。この場合には、プラグ４２の三次元のテーパ形状の外周面４１が、内輪側軌道面となり、ここに直接、各ローラー４６が支持される。
【００３２】
また、上記の例において、ローラーベアリングの外輪４５を外歯歯車３の外歯形成部分３６の内周面部分に一体形成することもできる。この場合には、外歯形成部分３６の内周面３６ａが外輪側軌道面として機能する。
【００３３】
なお、上記の例はカップ型の波動歯車装置に本発明を適用している。本発明は、シルクハット型の波動歯車装置にも同様に適用可能である。
【図１】
2016079876.tif 000003
【図２】
2016079876.tif 000004
【図３】
2016079876.tif 000005
【国際調査報告】
2016079876.tif 000006
2016079876.tif 000007
2016079876.tif 000008
2016079876.tif 000009